(57)【要約】  【課題】  ドラッグアンドドロップ方式を採用しながらも、迅速且つ正確に画像のレイアウト編集が可能な画像レイアウト編集装置を提供する。  【解決手段】  所定サイズの記録媒体枠ＰＳを表示する記録媒体枠表示手段と、表示された記録媒体枠ＰＳ上に複数の画像枠Ｐｎ（ｎ；１，２）を表示する画像枠表示手段と、前記記録媒体枠上に前記画像枠Ｐｎをドラッグアンドドロップ方式で配置するレイアウト手段と、前記レイアウト手段により配置されたレイアウト情報をテンプレート画像として登録するテンプレート画像記憶手段を備え、前記レイアウト手段は、前記記録媒体枠上に配置された第一の画像枠Ｐ１に対して予め設定された基準領域Ｒに第二の画像枠Ｐ２が配置されたときに、前記第二の画像枠Ｐ２を前記基準領域Ｒに対応して設定された基準位置に自動配置する自動配置手段を備えてある。  【選択図】  図５
2005323125.tif 000002
【特許請求の範囲】
【請求項１】
１枚の記録媒体に複数の画像をプリントするための画像レイアウトパターンを編集する画像レイアウト編集装置であって、
所定サイズの記録媒体枠を表示する記録媒体枠表示手段と、表示された記録媒体枠上に複数の画像枠を表示する画像枠表示手段と、前記記録媒体枠上に前記画像枠をドラッグアンドドロップ方式で配置するレイアウト手段と、前記レイアウト手段により配置されたレイアウト情報をテンプレート画像として登録するテンプレート画像記憶手段を備え、
前記レイアウト手段は、前記記録媒体枠上に配置された第一の画像枠に対して予め設定された基準領域に第二の画像枠が配置されたときに、前記第二の画像枠を前記基準領域に対応して設定された基準位置に自動配置する自動配置手段を備えてある画像レイアウト編集装置。
【請求項２】
前記基準領域は前記第一の画像枠の任意の辺を基準に設定され、前記自動配置手段は、前記第二の画像枠の特定の辺が前記基準領域に配置されたときに自動配置する請求項１記載の画像レイアウト編集装置。
【請求項３】
前記基準領域または前記基準位置を設定する基準値設定手段を設けてある請求項１または２記載の画像レイアウト編集装置。
【請求項４】
編集対象画像を記憶する画像記憶手段と、前記テンプレート画像記憶手段に記憶されたテンプレート画像を選択するテンプレート選択手段を備え、選択されたテンプレート画像の画像表示枠に前記画像記憶手段により記憶された画像を嵌め込み編集する嵌め込み編集手段を備えてある請求項１から３の何れかに記載の画像レイアウト編集装置。
【発明の詳細な説明】
【技術分野】
【０００１】
本発明は、１枚の記録媒体に複数の画像をプリントするための画像レイアウトパターンを編集する画像レイアウト編集装置に関する。
【背景技術】
【０００２】
従来、必要な写真のみを所定のレイアウトで並べることができ、かつ１枚のプリントであるため扱いが容易な写真プリント（アルバムプリント）を作成する写真プリント装置として、複数の写真画像のレイアウト編集を行なう際に、写真画像の配置位置を（Ｘ，Ｙ）座標で指定するものや、予めコマを配置できる位置をフォーマット化しておき、それを使用して配置するものや、ディスプレイ画面上にアルバムプリントのイメージを表示しながらポインティングデバイス等を用いて配置指示を行うものが提案されている。
【特許文献１】特開平０９−２１４８６８号公報
【発明の開示】
【発明が解決しようとする課題】
【０００３】
しかし、上述した従来の写真プリンタのレイアウト編集のように、予めフォーマット化されたテンプレートに画像を配置するものでは、フォーマット化されていないサイズの画像を配置することができず、さらには、配置の自由度が無いという不都合があり、座標指定するものでは画像毎に位置を指定入力する必要があるので操作が煩雑となり、ポインティングデバイス等で配置支持を行なうものでは、微妙な位置決め操作が煩雑且つ困難であるという問題があった。
【０００４】
例えば、証明写真のように異なるサイズの画像を一枚の記録媒体にプリントした後に切り取って使用するような場合には、記録媒体のロスを少なくするために写真画像同士を隣接配置する必要があるが、ドラッグアンドドロップ方式ではポインティングデバイスであるマウス等の微妙な操作が要求され、極めて手間がかかるものとなっていた。
【０００５】
上述したテンプレートを使用する場合には、写真プリンタが設置されたＤＰＥショップでオリジナルなレイアウトを提供できるように、予めテンプレート画像を編集できるレイアウト編集装置を備えることが望ましいが、そのための画像配置位置の編集作業においても上述と同様の問題があった。
【０００６】
本発明は、上述した従来の問題点に鑑み、ドラッグアンドドロップ方式を採用しながらも、迅速且つ正確に画像のレイアウト編集が可能な画像レイアウト編集装置を提供する点にある。
【課題を解決するための手段】
【０００７】
上述の目的を達成するため、本発明による画像レイアウト編集装置の第一の特徴構成は、特許請求の範囲の書類の請求項１に記載した通り、１枚の記録媒体に複数の画像をプリントするための画像レイアウトパターンを編集する画像レイアウト編集装置であって、所定サイズの記録媒体枠を表示する記録媒体枠表示手段と、表示された記録媒体枠上に複数の画像枠を表示する画像枠表示手段と、前記記録媒体枠上に前記画像枠をドラッグアンドドロップ方式で配置するレイアウト手段と、前記レイアウト手段により配置されたレイアウト情報をテンプレート画像として登録するテンプレート画像記憶手段を備え、前記レイアウト手段は、前記記録媒体枠上に配置された第一の画像枠に対して予め設定された基準領域に第二の画像枠が配置されたときに、前記第二の画像枠を前記基準領域に対応して設定された基準位置に自動配置する自動配置手段を備えてある点にある。
【０００８】
上述した構成によれば、表示された記録媒体枠上に前記画像枠をドラッグアンドドロップ方式で配置する際に、オペレータが第一の画像枠に対して予め設定された基準領域に第二の画像枠を配置操作すれば、自動配置手段により、前記第二の画像枠が前記基準領域に対応して設定された基準位置に自動配置されるので、マウス等のポインティングデバイスによる微妙な位置決め操作を行なわなくとも、凡その位置に配置操作するだけで、予め設定された基準位置に自動配置されるのである。
【０００９】
同第二の特徴構成は、同請求項２に記載した通り、上述の第一特徴構成に加えて、前記基準領域は前記第一の画像枠の任意の辺を基準に設定され、前記自動配置手段は、前記第二の画像枠の特定の辺が前記基準領域に配置されたときに自動配置する点にある。
【００１０】
上述した構成によれば、予め設定すべき基準領域を、第一の画像枠の任意の辺に対する距離で規定することができ、第一の表示枠に対して配置された第二の画像枠の特定の辺が当該基準領域に配置されているか否かにより自動配置されるか否かが判断されるので、オペレータは各画像枠の辺に注目して配置すればよく、極めて容易に基準領域及び基準位置を設定することができるのである。
【００１１】
同第三の特徴構成は、同請求項３に記載した通り、上述の第一または第二特徴構成に加えて、前記基準領域または前記基準位置を設定する基準値設定手段を設けてある点にある。
【００１２】
上述した構成によれば、レイアウトすべき画像枠の大きさや枚数に対応して自動配置のパターンを変えることができるので、よりフレキシブルなレイアウト編集ができるようになるのである。
【００１３】
同第四の特徴構成は、同請求項４に記載した通り、上述の第一から第三の何れかの特徴構成に加えて、編集対象画像を記憶する画像記憶手段と、前記テンプレート画像記憶手段に記憶されたテンプレート画像を選択するテンプレート選択手段を備え、選択されたテンプレート画像の画像表示枠に前記画像記憶手段により記憶された画像を嵌め込み編集する嵌め込み編集手段を備えてある点にある。
【００１４】
上述の構成によれば、第一から第三の何れかの特徴構成により生成された複数のテンプレート画像を予めテンプレート画像記憶手段に記憶しておき、必要に応じて適切なテンプレート画像を読出し、画像記憶手段により記憶された画像をそのテンプレート画像の画像枠に嵌め込むことにより、プリント出力する最終画像のレイアウト編集も極めて容易に行なうことができるようになるのである。
【発明の効果】
【００１５】
以上説明した通り、本発明によれば、ドラッグアンドドロップ方式を採用しながらも、迅速且つ正確に画像のレイアウト編集が可能な画像レイアウト編集装置を提供することができるようになった。
【発明を実施するための最良の形態】
【００１６】
以下に本発明による画像レイアウト編集装置が組み込まれた写真プリント装置の実施の形態を説明する。図１に示すように、写真プリント装置は、カラー銀塩写真フィルムに形成された撮影画像を光電変換してデジタル画像としての写真画像をメモリに記憶する写真画像入力部１と、写真画像入力部１から入力されたカラー写真画像に対して所定の画像処理を施し出力画像を生成する画像処理部２と、生成された出力画像を順次出力する画像出力部としてのラインバッファ２８と、ラインバッファ２８からの出力画像に基づいて印画紙を露光する露光ヘッド３４を備えた画像露光部３と、露光された印画紙を現像処理する現像処理部４と、現像処理後の印画紙をコマ単位で切断して排紙する排紙部５と、上述した各機能ブロック全体を統合して作動制御するシステム制御部６とを備えて構成される。
【００１７】
前記写真画像入力部１は、例えば現像済みの１３５カラーネガフィルム１０の各コマを読取位置に間歇的に搬送するフィルム搬送部１１と、フィルム１０の各コマの画像を読み取る画像読取部１２とからなり、前記フィルム搬送部１１は、巻取ローラ１１１と、巻取ローラ１１１を回転駆動するフィルム搬送モータ１１２と、フィルム搬送モータ１１２を制御するフィルム搬送制御部１１３とを備えて構成され、前記画像読取部１２は、フィルム１０の下部に配置された光源１１４と、光源１１４の発光強度を制御する光源制御部１１５と、一次元ＣＣＤを備えた撮像素子１１６と、撮像素子１１６による画像の読取制御を行なう読取制御部１１７と、フィルム１０の各コマ画像を撮像素子１１６の受光面に結像させるレンズ１１７と、フィルム１０とレンズ１１７間に設けられ、フィルム１０の画像をＧＲＢの３色に分離する光学フィルタ１１８と、光学フィルタ１１８を切替駆動するフィルタ駆動モータ１１９と、フィルタ駆動モータ１１９を駆動制御するフィルタ切替制御部１２０と、撮像素子１１６で読み取った画像信号をデジタルデータとして記憶する画像データ記憶部１２１とを備えて構成される。前記画像データ記憶部１２１は、撮像素子１１６で読み取られたＲＧＢ夫々のアナログ画像信号を１６ビットの階調レベルでＲＧＢのデジタル画像データに変換するＡ／Ｄ変換器１２２と、Ａ／Ｄ変換器１２２により変換されたＲＧＢ三色のデジタル画像データをコマ単位で格納するＲＡＭ等でなる画像バッファメモリ１２３とを備えて構成される。
【００１８】
前記画像処理部２は、画像バッファメモリ１２３に格納されたコマ単位の写真画像に対して、ノイズや歪などの低減処理、色補正処理、拡縮処理等を行なう画像処理手段２１と、テンプレート画像を編集生成するレイアウト編集手段２４と、生成されたテンプレート画像を格納するテンプレート画像記憶手段２３と、任意のテンプレート画像を選択し、前記画像処理手段２１により処理された画像をテンプレート画像に嵌め込み編集する嵌め込み編集手段２２等を備えて構成される。つまり、前記レイアウト編集手段２４と、テンプレート画像記憶手段２３と、嵌め込み編集手段２２により本発明の画像レイアウト編集装置が構成される。
【００１９】
前記画像処理部２で処理された最終の出力画像が前記画像処理メモリ２５に格納され、１ライン毎にラインバッファメモリ２８を介して露光制御部３６に出力される。
【００２０】
前記画像露光部３は、ロールカセット３０に巻回されている長尺状の印画紙３１を搬送モータ３７により露光ステーション３３に向けて所定の搬送速度で搬送する印画紙搬送制御部３８を備えた印画紙搬送部３２と、露光ステーション３３に搬送された印画紙３１に対して露光走査するＰＬＺＴ方式の露光ヘッド３４と、露光ヘッド３４を駆動制御する露光ヘッド制御部３５と、ラインバッファメモリ２８からの画像データを印画紙３１の搬送速度に同期した所定のタイミングで露光ヘッド制御部３５に出力する露光制御部３６とを備えて構成される。
【００２１】
前記現像処理部４は、現像液等の現像処理液が充填された処理槽４０と、露光済みのロール印画紙３１を処理槽４０内に搬送して、現像、漂白、定着の各処理がなされたロール印画紙３１を前記排紙部５に搬送する搬送制御部を備えて構成され、前記排紙部５は、現像処理部４で現像処理されたロール印画紙３１を幅方向に切断して１コマ単位に分割するカッター５０と、カッター５０を駆動するカッターモータ５１に対する駆動制御や、切断された印画紙３１を装置外部に排出制御する排紙制御部５２とを備えて構成される。
【００２２】
前記システム制御部６は、制御用ＣＰＵ、制御プログラムが格納されたＲＯＭ、データ処理用のＲＡＭと、各機能ブロックに対する制御用信号入出力回路を備えて構成され、前記制御プログラムに基づいて各機能ブロックが統合制御される。さらに、前記システム制御部６には写真画像処理装置による処理手順などを設定入力するキーボードやマウスを備えた入力装置とモニタ装置でなるコンソール７が接続され、原写真画像が保持されるメディア情報（フィルム種類など）と前記出力画像に基づいてプリントされる印画紙のサイズ情報や画像編集処理を含むプリント情報としてのプリントチャンネルが設定入力され、前記システム制御部６は選択されたプリントチャンネルに設定された情報に基づいて各機能ブロックを制御する。
【００２３】
前記プリントチャンネルとは、前記コンソール７に設けられたプリント情報設定部７ａにより設定され、予め入力メディア、プリントの種類、印画紙サイズなど、作成するプリントに合わせて設定されるチャンネルをいい、コンソール７を介してチャンネル０から順に所定数のチャンネルが個別に設定可能に構成される。各チャンネルには、入力メディア情報（フィルム種類やデジタル画像の記憶メディア種類）、通常プリント（同時プリント）かアルバムプリントか編集プリントかといったプリントタイプ情報、編集プリントである場合にはその種別情報（例えばポストカード、証明写真、名刺など）、印画紙の紙幅や面質情報、プリントサイズ情報、画像の自動補正モード設定情報などがプリント情報として設定される。
【００２４】
オペレータは注文情報に基づいて適切なプリントチャンネルを指定して、設定されている入力メディア情報に該当するネガマスクを前記写真画像入力部１に装着し、またはメディアドライバ１１７ａにメディアを装着することにより、画像バッファメモリ１２３への画像入力が可能になる。フィルム画像の入力は、先ず低解像度で高速に読み込むプレスキャン動作によりフィルム１本分の画像が読み込まれ画像バッファメモリ１２３に格納され、フィルム検定処理が行なわれる。
【００２５】
フィルム検定では、読み込まれた複数のコマ画像が前記コンソール７のモニタ装置に表示され、入力装置を介したオペレータの操作等に基づいて、画像処理手段２１により各コマ画像に対する色補正等の各種の画像処理が施され、それらの処理情報が画像処理手段２１に設けられたメモリ（図示せず）に格納される。メディアドライバ１１７ａから入力されたコマ画像に対しても同様の処理が施される。
【００２６】
アルバムプリントや編集プリントが設定されているときには嵌め込み編集手段２２が作動して、モニタ装置にテンプレート画像記憶手段２３に記憶されたテンプレート画像及び画像バッファメモリ１２３に格納されたコマ画像が表示され、入力装置を介したオペレータの操作等に基づいてテンプレート画像に各コマ画像が嵌め込み編集される。
【００２７】
フィルム検定が終了すると、対象フィルムから撮影画像を高解像度で読み込む本スキャン動作が実行される。本スキャン動作では数コマずつ読み込まれて画像バッファメモリ１２３に格納された写真画像に対して、画像処理部２により前記補正テーブルデータに基づく補正処理を含む所要の画像処理が実行されて出力画像が生成される。
【００２８】
前記画像露光部３では、指定されたプリントチャンネルに設定されているプリントサイズに基づいて適切な印画紙３１が選択され（通常、複数サイズの印画紙が収容されている）露光ステーション３３に搬送され、露光ヘッド３４により出力画像に対応した露光処理が行なわれる。前記排紙部５では、カッター５０により同プリントサイズに基づいて現像済みのロール印画紙３１が１コマ単位に切断される。
【００２９】
上述のテンプレート画像記憶手段２３には、証明写真やアルバム編集写真等の用途に応じて予め複数のテンプレート画像が格納され、嵌め込み編集手段２２により、オペレータの操作に基づいて選択表示されたテンプレート画像に所望の画像が貼り付けられて出力画像が生成されるのであるが、前記テンプレート画像記憶手段２３に格納されたテンプレート画像は、当該写真プリント装置の購入時に予め格納されているテンプレート画像とともに、購入者側で創作したテンプレート画像が格納されている。購入者側でテンプレート画像を創作する場合に前記レイアウト編集手段２４が使用される。
【００３０】
以下に、前記画像処理部２に構成されたレイアウト編集手段２４について詳述する。当該レイアウト編集手段２４は、記録媒体である印画紙１枚に複数の画像をプリントするための画像レイアウトパターンを編集生成して前記テンプレート画像記憶手段２３に格納するもので、図２及び図５（ｃ）に示すように、所定サイズの記録媒体枠ＰＳを表示する記録媒体枠表示手段２４ａと、表示された記録媒体枠ＰＳ上に複数の画像枠Ｐｎを表示する画像枠表示手段２４ｂと、前記記録媒体枠ＰＳ上に前記画像枠Ｐｎをドラッグアンドドロップ方式で配置するレイアウト手段２４ｃを備えて構成される。
【００３１】
前記レイアウト手段２４ｃには、前記記録媒体枠ＰＳ上に配置された第一の画像枠Ｐ１に対して予め設定された基準領域Ｒに第二の画像枠Ｐ２が配置されたときに、前記第二の画像枠Ｐ２を前記基準領域Ｒに対応して設定された基準位置に自動配置する自動配置手段２４ｄが備えられている。前記基準領域Ｒは前記第一の画像枠Ｐ１の任意の辺を基準に設定され、前記自動配置手段２４ｄは、前記第二の画像枠Ｐ２の特定の辺が前記基準領域Ｒに配置されたときに自動配置を実行するように構成されている。
【００３２】
以下、図３に示すフローチャートに基づいて、前記画像レイアウト編集手段２４による編集動作の手順を説明する。写真プリント装置に電源が投入された後にコンソール７の表示装置に表示されるメニュー選択画面からマウスによりテンプレート画像編集モードが選択されると（Ｓ１）、図５（ａ）に示すように、画面の右側にテンプレート種類選択スイッチＳＷ１と、自動配置モード選択スイッチＳＷ２と、画像サイズ選択スイッチＳＷ３と、プリントサイズスイッチＳＷ４がプルダウンメニュー選択方式で表示される。
【００３３】
テンプレート種類選択スイッチＳＷ１をクリックすると証明写真用のテンプレートを編集する証明写真モードとアルバム写真用のテンプレートを編集するアルバム写真モード等が表示され、自動配置モード選択スイッチＳＷ２をクリックすると前記自動配置手段２４ｄの動作モード、つまり基準領域Ｒ及び基準位置の複数の組合せが選択可能に表示され、画像サイズ選択スイッチＳＷ３がクリックされると前記テンプレート種類選択スイッチＳＷ１で選択されたモードに対応して使用可能な画面サイズのリストが表示され、プリントサイズスイッチＳＷ４がクリックされるとＬ判、ＰＣ判等の印画紙（画像記録媒体）のサイズが表示される。
【００３４】
テンプレート種類として証明写真が選択され（Ｓ２）、所定の自動配置モードが選択され（Ｓ３）、Ｌ判のプリントサイズが選択されると（Ｓ４）、図５（ｂ）に示すように、記録媒体枠表示手段２４ａにより表示画面に選択された記録媒体枠ＰＳが表示される（Ｓ５）。
【００３５】
この状態で画像サイズ選択スイッチＳＷ３がクリックされると、証明写真用の画像サイズ、つまり、免許証、パスポート、履歴書、ビザ、一般試験等の用途に応じたサイズが選択可能にリスト表示される。例えばパスポートサイズが選択されると、画像枠表示手段２４ｂにより該当するサイズの画像枠Ｐｎが第一の画像枠Ｐ１として記録媒体表示枠ＰＳの右下に表示される。オペレータのマウスによるドラッグアンドドロップ操作に基づいて、レイアウト表示手段２４ｃにより第一の画像枠Ｐ１が所定位置に配置される（Ｓ６）。
【００３６】
同様にパスポートサイズが選択されると、図５（ｃ）に示すように、第二の画像枠Ｐ２が記録媒体表示枠ＰＳの右下に表示されるので、図５（ｄ）に示すように、第二の画像枠Ｐ２がドラッグアンドドロップにより第一の画像枠Ｐ１の近傍に配置される（Ｓ７）。
【００３７】
このとき、第一の画像枠Ｐ１の各辺には、図中破線で示すような基準領域Ｒが定義されており、この領域Ｒに第二の画像枠Ｐ２の所定の辺が配置されると（Ｓ８）、図５（ｅ）に示すように、自動配置手段２４ｄにより第二の画像枠Ｐ２が基準位置に自動配置される（Ｓ９）。ここで、第二の画像枠Ｐ２の所定の辺が前記基準領域Ｒに配置されないときにはオペレータによりドロップされた位置に止まる。
【００３８】
自動配置手段２４ｄによる画像枠の自動配置は、上述した自動配置モード選択スイッチＳＷ２による選択モードで律せられ、例えば、図６（ｂ）から（ｇ）に示すように、第一の画像枠Ｐ１に対して第二の画像枠Ｐ２の配置位置が選択可能に構成されている。また、前記レイアウト手段２４ｃには、基準領域Ｒまたは基準位置を変更または新たに設定する基準値設定手段２４ｅが設けられており、設定された基準領域Ｒまたは基準位置が前記自動配置モード選択スイッチＳＷ２による選択モードとして登録されるように構成されている。
【００３９】
前記基準値設定手段２４ｅにより設定される基準領域Ｒとしては、図６（ａ）に示すように、例えば、第一の表示枠Ｐ１の各辺を中心とする長方形の四領域と、各領域の幅で定義され、第二の画像枠Ｐ２がその基準領域Ｒに配置されたか否かの判断は、第一の画像枠Ｐ１の右辺に設定された基準領域に第二の画像枠Ｐ２の左辺が配置されたか否か、第一の画像枠Ｐ１の左辺に設定された基準領域Ｒに第二の画像枠Ｐ２の右辺が配置されたか否か、第一の画像枠Ｐ１の下辺に設定された基準領域Ｒに第二の画像枠Ｐ２の上辺が配置されたか否か等、第一の画像枠Ｐ１に設定された四つの基準領域Ｒの夫々に対応する第二の画像枠Ｐ２の辺が配置されているか否かによる。
【００４０】
前記基準値設定手段２４ｅにより設定される基準位置は、図６（ｂ）から（ｇ）に示すように、第二の画像枠Ｐ２の上辺を第一の画像枠Ｐ１の上辺に揃えるのか、第二の画像枠Ｐ２の下辺を第一の画像枠Ｐ１の下辺に揃えるのか、第二の画像枠Ｐ２を第一の画像枠Ｐ１の中央に揃えるのか等、さらには、第一の画像枠Ｐ１と第二の画像枠Ｐ２の距離等の配置データにより決定される。この例では、第一の画像枠Ｐ１と第二の画像枠Ｐ２の距離を０に、つまり両画像枠が接触するように、且つ、第二の画像枠Ｐ２の上辺を第一の画像枠Ｐ１の上辺に揃えるように設定されている。
【００４１】
ステップＳ９で第二の画像枠Ｐ２が配置されると、第三の画像枠Ｐ３（図示せず）がドラッグアンドドロップにより第二の画像枠Ｐ２の近傍に配置される。このとき、第二の画像枠Ｐ２が第一の画像表示枠Ｐ１として、第三の画像枠Ｐ３が第二の画像枠Ｐ２として同様の処理が実行される。このようにして必要な数の画像枠のレイアウトが終了すると（Ｓ１０）、画面下中央部の終了スイッチがクリックされ、このとき表示される名称欄にテンプレート名称が入力された後に新たなテンプレート画像として前記テンプレート画像記憶手段２３に格納される（Ｓ１１）。
【００４２】
上述のフィルム検定時に、指定されたプリントチャンネルにアルバムプリントか編集プリントが設定されている場合には、実際の画像の嵌め込み編集処理がなされる。図示しないが、編集プリント（ここでは証明写真）が設定されているときには、嵌め込み編集手段２２によりコンソール７に、図７に示すような編集画面が表示されて嵌め込み編集が実行される。
【００４３】
以下、図４及び図７に基づいて証明写真の嵌め込み編集処理について説明する。嵌め込み編集画面では画面の右側に証明写真用の複数のテンプレート選択スイッチＳＷ５が表示され、適当なテンプレート選択スイッチＳＷ５が選択されると画面左に選択されたテンプレート画像が表示される（Ｓ２１）。次に、候補となる画像がテンプレート選択スイッチＳＷ５とテンプレート画像の間に表示される（Ｓ２２）。表示された画像はその下方に配置された『戻る』スイッチと『次』スイッチの操作により更新または復帰表示される。候補となる画像がテンプレート画像の画像枠Ｐ１からＰ５の何れかの領域にドラッグアンドドロップされると（Ｓ２３）、その画像枠に入るように画像の倍率が設定されて嵌め込まれる（Ｓ２４）。このようにして全ての画像枠に画像が嵌め込まれると処理が終了して（Ｓ２５）、嵌め込み編集時のデータ、つまり、テンプレート種類と画像枠識別ナンバーと嵌め込まれた画像の識別ナンバーが、画像処理手段２１の内部メモリに格納され、本スキャン時に編集処理された後にプリント出力される（Ｓ２６）。
【００４４】
ここで、証明写真の場合には、同一の画像が各画像枠に嵌め込まれるので、例えば、候補となる画像をダブルクリックすることにより各画像枠に一括して嵌め込み編集されるように構成するものであってもよい。
【００４５】
上述した実施形態では、画像レイアウト編集装置が写真プリント装置に実現されたものを説明したが、本発明による画像レイアウト編集装置は写真プリント装置に組み込まれるものに限らず、顧客が直接操作するデジタル写真注文受付装置や、汎用のパーソナルコンピュータに組み込まれるものであってもよい。
【００４６】
上述した基準領域及び基準位置の設定は例示であり、これに限定されるものではない。また、上述したレイアウト手段や基準値設定手段等の設定操作手順及び表示画面は例示に過ぎずこれらに限定されるものではなく、本発明の作用効果を奏する限りにおいて適宜設計されるものである。
【図面の簡単な説明】
【００４７】
【図１】写真画像処理装置のブロック構成図
【図２】画像レイアウト編集装置のブロック構成図
【図３】テンプレート画像の編集手順を示すフローチャート
【図４】テンプレート画像に写真画像を嵌め込み編集する手順のフローチャート
【図５】テンプレート画像の編集手順の説明図
【図６】基準領域及び基準位置の説明図
【図７】嵌め込み編集の画面の説明図
【符号の説明】
【００４８】
１：写真画像入力部
２：画像処理部
３：画像露光部
４：現像処理部
５：排紙部
６：システム制御部
７：コンソール
７ａ：プリント情報設定部
２１：画像処理手段
２２：嵌め込み編集手段
２３：テンプレート画像記憶手段
２４：レイアウト編集手段
２４ａ：記録媒体枠表示手段
２４ｂ：画像枠表示手段
２４ｃ：レイアウト手段
２４ｄ：自動配置手段
【図１】
2005323125.tif 000003
【図２】
2005323125.tif 000004
【図３】
2005323125.tif 000005
【図４】
2005323125.tif 000006
【図５】
2005323125.tif 000007
【図６】
2005323125.tif 000008
【図７】
2005323125.tif 000009